(57)【要約】【課題】補助ハンドルを清掃具に装着後、ヒンジ機構を中心とする旋回角度の調節を可能とし、清掃具の周方向に動くことを制限する清掃具の補助ハンドルを提供することにある。【解決手段】  補助ハンドル１は、棒状のハンドル本体２に一端に、柄２１の中間部位に連結可能で、且つ柄２１に沿った折り畳み位置と、柄２１から離れて傾斜する引き出し位置との間でハンドル本体２を回転可能とする連結部３を設ける一方、ハンドル本体２の他端に、柄２１の端部に連結されて引き出し位置で柄２１の端部を吊り下げ支持する吊り下げ体４を設けたことを特徴としている。【選択図】図１
2011229743.tif 000002
【特許請求の範囲】
【請求項１】
柄付き清掃具に装着される補助ハンドルであって、
棒状のハンドル本体に一端に、前記柄の中間部位に連結可能で、且つ前記柄に沿った折り畳み位置と、前記柄から離れて傾斜する引き出し位置との間で前記ハンドル本体を回転可能とする連結部を設ける一方、前記ハンドル本体の他端に、前記柄の端部に連結されて前記引き出し位置で前記柄の端部を吊り下げ支持する吊り下げ体を設けたことを特徴とする清掃具の補助ハンドル。
【請求項２】
前記吊り下げ体は、長さを調整可能とする調整手段を備えたことを特徴とする請求項１に記載の補助ハンドル。
【請求項３】
柄付き清掃具であって、
前記柄の中間部位から端部までの部分を軸方向に二分割して、一方の分割柄を、他方の分割柄に沿った折り畳み位置と、前記他方の分割柄から離れて傾斜する引き出し位置との間で回転可能に連結する一方、前記一方の分割柄の他端に、前記他方の分割柄の端部に連結されて前記引き出し位置で前記他方の分割柄を吊り下げ支持する吊り下げ体を設けたことを特徴とする柄付き清掃具。
【請求項４】
前記吊り下げ体は、長さを調整可能とする調整手段を備えたことを特徴とする請求項３に記載の柄付き清掃具。
【発明の詳細な説明】
【技術分野】
【０００１】
本発明は、清掃具に取り付け、清掃作業時の無理な姿勢を軽減する清掃具の補助ハンドル及び柄付き清掃具に関する。
【背景技術】
【０００２】
従来から、モップやブラシ等の清掃具を用いてテーブルの下等の床面を清掃する場合、清掃者が前屈みの姿勢で清掃を行い、清掃者の体に負担をかけるという問題があった。
【０００３】
これに対し、清掃具の柄に補助棒を取付けることにより、清掃者の無理な姿勢を軽減する清掃具の柄が知られている（特許文献１）。
【０００４】
また、このように清掃具の柄部に補助棒を取り付けた補助ハンドル（柄）では、取付部分を支点に補助棒が前後に旋回する構成のため、力を加えた場合に補助棒が旋回してしまい、補助棒の固定が行われないため、支点部分に止め処を設け、補助棒の回転を制限することにより、力を加えた清掃を可能としたものが知られている（特許文献２）。
【先行技術文献】
【特許文献】
【０００５】
【特許文献１】特開２００７−１６７３４５号公報
【特許文献２】実用新案登録第３１１０２３６号公報
【発明の概要】
【発明が解決しようとする課題】
【０００６】
しかしながら、このような清掃具に補助ハンドルを取り付ける構成では、清掃具と補助ハンドルとを把持して清掃作業をしなければならず、両手で操作することとなるため、作業性に問題があった。
【０００７】
そこで、本発明は、補助ハンドルを清掃具に装着後、清掃作業者が楽な姿勢で片手で清掃作業を行うことを可能とする清掃具の補助ハンドル及び柄付き清掃具を提供することにある。
【課題を解決するための手段】
【０００８】
上記目的を達成するために、請求項１に記載の発明は、柄付き清掃具に装着される補助ハンドルであって、
棒状のハンドル本体に一端に、前記柄の中間部位に連結可能で、且つ前記柄に沿った折り畳み位置と、前記柄から離れて傾斜する引き出し位置との間で前記ハンドル本体を回転可能とする連結部を設ける一方、前記ハンドル本体の他端に、前記柄の端部に連結されて前記引き出し位置で前記柄の端部を吊り下げ支持する吊り下げ体を設けたことを特徴としたことにある。
【０００９】
請求項２に記載の発明は、請求項１に記載の発明に加え、前記吊り下げ体は、長さを調整可能とする調整手段を備えたことを特徴としたことにある。
【００１０】
請求項３に記載の発明は、柄付き清掃具であって、
前記柄の中間部位から端部までの部分を軸方向に二分割して、一方の分割柄を、他方の分割柄に沿った折り畳み位置と、前記他方の分割柄から離れて傾斜する引き出し位置との間で回転可能に連結する一方、前記一方の分割柄の他端に、前記他方の分割柄の端部に連結されて前記引き出し位置で前記他方の分割柄を吊り下げ支持する吊り下げ体を設けたことを特徴としたことにある。
【００１１】
請求項４に記載の発明は、請求項３に記載の発明に加え、前記吊り下げ体は、長さを調整可能とする調整手段を備えたことを特徴としたことにある。
【発明の効果】
【００１２】
請求項１に記載の発明によれば、両手で清掃具を持つことがないため、清掃作業者が前屈みの無理な姿勢で清掃を行う必要がなくなり、清掃作業が容易である。また、連結部で補助ハンドルの前端が清掃具に固定されることに加え、後端が吊り下げ体で連結されることから、清掃具の軸部と補助ハンドルの軸部とが平行になるため、安定した清掃が可能となる。
【００１３】
請求項３に記載の発明によれば、両手で清掃具を持つことがないため、清掃作業者が前屈みの無理な姿勢で清掃を行う必要がなくなり、清掃作業が容易である。また、分割柄を回転可能に連結する一方、分割柄の端部と他方の分割柄の端部との間を吊り下げ支持する吊り下げ体で連結したことにより、清掃具の軸部と分割柄の軸部とが平行になるため、安定した清掃が可能となる。
【００１４】
請求項２及び４に記載の発明によれば、回転角度の調整が容易に可能で、清掃具の長さや種類を選ばない。
【図面の簡単な説明】
【００１５】
【図１】補助ハンドルの全体の構成を示す説明図である。
【図２】清掃具に補助ハンドルを取り付けた状態を示す説明図である。
【図３】補助ハンドルの有無を示す説明図である。
【図４】柄付き清掃具の全体の構成を示す説明図である。
【発明を実施するための形態】
【００１６】
以下、本発明の実施の形態を図面に基づいて説明する。
【００１７】
まず初めに、本発明の補助ハンドル１は、図１に示すように、モップやブラシ等の清掃具２０に取り付けて使用する清掃補助具である。
【００１８】
この補助ハンドル１は、図２に示すように、棒状のハンドル本体２の一端に、柄２１の中間部位に連結可能で、且つ柄２１に沿った折り畳み位置と、柄２１から離れて傾斜する引き出し位置との間でハンドル本体２を回転可能とする連結部３を設ける一方、ハンドル本体２の他端に、柄２１の端部に連結されて引き出し位置で柄２１の端部を吊り下げ支持する吊り下げ体４を設けたものである。
【００１９】
このうち、ハンドル本体２は、補助板５と、この補助板５に重ね合わせ、保持部材７，７により保持することで補助ハンドル１の長さ調節を行うスライド板６とで構成する。この補助板５とスライド板６とは、断面円弧状の板材である。このうちスライド板６端部は、折り曲げた後、金具１３が取り付けられている。
【００２０】
次に、吊り下げ体４は、金具１３と、図１に示す柄２１端部の孔２２とを連結するものである。また、吊り下げ体４には、吊り下げ体４の長さを調節する調節部品４０が取り付けられている。この調節部品４０が本発明の調節手段である。
【００２１】
次に、連結部３は、柄２１を挟み込む受け部材８と固定部材９と、嵌合した後、これら受け部材８と固定部材９との外周で軸方向上下に巻き付けて固定するテープ１１，１１とで構成する。このうち、固定部材９の外周面には、保持板１０，１０が設けられており、これらで回転部材１２の側面を挟持することで回転機構を構成する。この回転部材１２は、底面側から補助板５とともにネジで固定されている。また、受け部材８と固定部材９とは、断面を半円状とし、内径側表面に滑り止めのゴム（図示せず）が貼着されている。
【００２２】
以上の如く構成された補助ハンドル１の清掃具２０への取付けは、以下のように行われる。
【００２３】
まず、受け部材８と固定部材９とによって柄２１を挟み込む。そして、テープ１１，１１を、これら受け部材８と固定部材９との軸方向上下で外周方向に巻き付けて固定した後、吊り下げ体４により、金具１３と孔２２とを連結する。また、回転角度の調整は、吊り下げ体４に取り付けられた長さ調整部品４０によって行う。
【００２４】
次に、机等により上方に障害物がある床面の清掃は、以下のように行われる。まず初めに、スライド板６を補助板５上から引き出し、清掃作業の行い易い長さとなるように補助ハンドル１の長さ調節を行う。そして、補助ハンドル１を、柄２１と重ねた状態から吊り下げ体４が張られる位置まで回転させる。次に、ハンドル本体２を片手で持ち、清掃具２０の清掃部分を床面上で前後に摺動させて床面の清掃を行うため、図３に示すように、手の高さがＡ１の位置に比べ、Ａ２の位置まで高くなり、清掃作業者が楽な姿勢で清掃作業を行うことが可能となる。
また、上方に障害物のない床面の清掃は、ハンドル本体２が清掃具２０に沿う位置まで閉じた後、ハンドル本体２とともに握り、清掃具２０の清掃部分を床面上で前後に摺動させて床面の清掃を行う。
【００２５】
一方、補助ハンドル１の取り外しは、ハンドル本体２が清掃具２０に沿う位置まで閉じた後、スライド板６を押し戻し、テープ１１，１１による固定を開放した後、柄２１を挟み込んだ受け部材８と固定部材９とを取り外す。
【００２６】
以上のように、本発明の補助ハンドル１は、棒状のハンドル本体２に一端に、柄２１の中間部位に連結可能で、且つ柄２１に沿った折り畳み位置と、柄２１から離れて傾斜する引き出し位置との間でハンドル本体２を回転可能とする連結部３を設ける一方、ハンドル本体２の他端に、柄２１の端部に連結されて引き出し位置で柄２１の端部を吊り下げ支持する吊り下げ体４を設けたことを特徴としている。
その結果、両手で清掃具２０を持つことがないため、清掃作業者が前屈みの姿勢で清掃を行う必要がなくなり、清掃作業が容易である。また、連結部３で補助ハンドル１の前端が清掃具２０に固定されることに加え、後端が吊り下げ体４で連結されることから、清掃具２０の軸部と補助ハンドル１の軸部とが平行になるため、安定した清掃が可能となる。
【００２７】
次に、本発明の柄付き清掃具３０は、図４に示すように、柄３１の中間部位から端部までの部分を軸方向に二分割して使用する清掃補助具を一体に備えている。
【００２８】
この柄３１は、一方の分割柄３２を、他方の分割柄３４に沿った折り畳み位置と、他方の分割柄３４から離れて傾斜する引き出し位置との間で回転可能に連結する一方、一方の分割柄３２の他端に、他方の分割柄３４の端部に連結されて引き出し位置で他方の分割柄３４を吊り下げ支持する吊り下げ体３６を設けたものである。
【００２９】
このうち、分割柄３２端部には金具３３が取り付けられる一方、分割柄３４端部には金具３５が取り付けられている。そして、吊り下げ体３６は、金具３３と金具３５と、これらを連結するものである。また、吊り下げ体３６には、吊り下げ体３６の長さを調節する調節部品２５が取り付けられている。
【００３０】
以上の如く構成された柄付き清掃具３０を用いて、机等により上方に障害物がある床面の清掃は、以下のように行われる。
まず、柄付き清掃具３０の柄３１から吊り下げ体３６が引っ張られる長さまで分割柄３２を回転させる。次に、分割柄３２を片手で持ち、前後に摺動させて清掃具３０のブラシ部分で床面の清掃を行う。
また、使用後は、分割柄３２が分割柄３４に沿う位置まで閉じることで一体となり、柄３１となる。
【００３１】
また、本発明の柄付き清掃具３０は、柄３１の中間部位から端部までの部分を軸方向に二分割して、一方の分割柄３２を、他方の分割柄３３に沿った折り畳み位置と、他方の分割柄３３から離れて傾斜する引き出し位置との間で回転可能に連結する一方、一方の分割柄３２の他端に、他方の分割柄３３の端部に連結されて前記引き出し位置で他方の分割柄３３を吊り下げ支持する吊り下げ体４を設けたことを特徴としている。
その結果、両手で清掃具３０を持つことがないため、清掃作業者が前屈みの姿勢で清掃を行う必要がなくなり、清掃作業が容易である。また、分割柄３２を回転可能に連結する一方、分割柄３２の端部と他方の分割柄３４の端部との間を吊り下げ支持する吊り下げ体３６で連結したことにより、清掃具の軸部と分割柄の軸部とが平行になるため、安定した清掃が可能となる。
【００３２】
他にも、吊り下げ体４又は吊り下げ体３６は、長さを調整可能とする調整部品２５を備えたことを特徴としている。
その結果、回転角度の調整が容易に可能で、清掃具の長さや種類を選ばない。
【００３３】
なお、本発明の補助ハンドル１の構成は、上記実施形態の態様に何ら限定されるものではなく、補助ハンドル１を清掃具２０へ取り付けた後、補助ハンドル１が、回転機構を中心とする旋回角度の調節を可能とし、清掃具２０の周方向に動くことを制限するものであれば、本発明の趣旨を逸脱しない範囲で必要に応じて適宜変更することができる。
例えば、補助板５とスライド板６とは、断面円弧状の板材であるが、必ずしもこの形状である必要はなく、例えば、補助板５に凹部を設け、スライド板６に凸部を設けることで、凹凸によるレール機構を構成したり、パイプ材の外管と内管とによる伸縮機構等であっても良く、補助ハンドル１の長さを調整可能とするものであれば適宜変更可能である。
【００３４】
また、回転角度の調整は、吊り下げ体４又は吊り下げ体３６に取り付けられた調整部品２５によって行うが、必ずしもこの調整部品２５である必要はなく、適宜変更可能である。
【００３５】
他にも、回転部材１２は、必ずしも当該部材の底面側から補助板５とともにネジで固定する構造である必要はなく、これらを一体としても良く、回転機構を閉じた時に補助ハンドル１が清掃具２０に沿う位置まで戻ることを可能とするものであれば適宜変更可能である。
【００３６】
また、吊り下げ体４は、補助ハンドル１と清掃具２０とを繋ぎ、回転機構の回転角度を調整するとともに、所定の角度以上に開くことを制限するものであれば紐体やチェーン等に適宜変更可能である。
【００３７】
他にも、補助ハンドル１の回転機構は、必ずしも保持板１０，１０で回転部材１２の側面を挟持する構成である必要はなく、補助ハンドル１が清掃具２０の軸方向上下に旋回するものであれば適宜変更可能である。
【００３８】
また、補助ハンドル１の清掃具２０への取り付けは、受け部材８と固定部材９とで清掃具２０の柄部分を挟み込み、テープ１１，１１を、これら受け部材８と固定部材９との軸方向上下の外周方向に夫々巻き付けて固定する方法である必要はなく、補助ハンドル１を清掃具２０へ取り付けた後、補助ハンドル１が、回転機構を行うものであれば適宜変更可能である。
【符号の説明】
【００３９】
１・・補助ハンドル、２・・ハンドル本体、３・・連結部、４・・吊り下げ体、５・・補助板、６・・スライド板、７・・保持部材、８・・受け部材、９・・固定部材、１０・・保持板、１１・・テープ、１２、回転部材、１３・・金具、２０・・清掃具、２１・・柄、２２・・孔、３０・・柄付き清掃具、３１・・柄、３２・・分割柄、３３・・金具、３４・・分割柄、３５・・金具、３６・・吊り下げ体、４０・・調整部品。
【図１】
2011229743.tif 000003
【図２】
2011229743.tif 000004
【図３】
2011229743.tif 000005
【図４】
2011229743.tif 000006